(57)【要約】【課題】溶融された液状物を軸筒１内に流し込み、液状物が常温に冷やされて固体となり固形描画材４が形成される固形描画材繰出容器を提供する。【解決手段】軸筒１と、軸筒１内を摺動可能な保持具２と、ゲル形成物質、着色材及び溶剤として水を多く含んだ固形描画材４により構成する。しかも、固形描画材４は、温度を高めることにより溶融された液状物を軸筒１内に流し込み、液状物が常温に冷やされて固体となり、軸筒１内に収納されるとともに保持具２の保持部２Ｄに保持される。【選択図】          図１
2004195671.tif 000002
【特許請求の範囲】
【請求項１】
軸筒と、軸筒内を摺動可能な保持具と、ゲル形成物質、着色材及び溶剤として水を多く含んだ固形描画材とからなり、温度を高めることにより溶融された液状物を軸筒内に流し込み、液状物が常温に冷やされて固体となることにより固形描画材が形成され、この固形描画材が固体となる時に軸筒内に収納されるとともに保持具の保持部に保持され、保持具を前進させることにより固形描画材が軸筒より繰り出されることを特徴とする固形描画材繰出容器。
【請求項２】
保持具の保持部に中心部が開口した内鍔を形成し、この保持部を軸筒の内面に密接させるとともに、軸筒の前部にキャップを嵌合し、前記保持具の内鍔内を通って、溶融された液状物を軸筒内に流し込み、常温に冷やされることによって液状物が固体となり固形描画材が形成され、更に、保持具の内孔に密栓を形成したことを特徴とする請求項１記載の固形描画材繰出容器。
【請求項３】
密栓として乾燥防止用オイルを用いたことを特徴とする請求項２記載の固形描画材繰出容器。
【発明の詳細な説明】
【０００１】
【発明の属する技術分野】
本発明は、ゲル形成物質、着色材及び溶剤として水を多く含んだ固形描画材繰出容器に関するものである。
【０００２】
【従来の技術】
従来、ゲル形成物質、着色材及び溶剤として水を多く含んだ固形描画材は、専用の型の中で固体化されていた。
【０００３】
【発明が解決しようとする課題】
従って、従来の固形描画材繰出容器は、専用の型の中で固体化された固形描画材を型より外して繰出容器に装着させなければならず、組立工程が複雑となって非常にコスト高となるものであった。
【０００４】
本発明は、上記課題を解消する固形描画材繰出容器を提供することを目的とするものである。
【０００５】
【課題を解決するための手段】
本発明は、軸筒と、軸筒内を摺動可能な保持具と、ゲル形成物質、着色材及び溶剤として水を多く含んだ固形描画材とからなり、温度を高めることにより溶融された液状物を軸筒内に流し込み、液状物が常温に冷やされて固体となることにより固形描画材が形成され、この固形描画材が固体となる時に軸筒内に収納されるとともに保持具の保持部に保持され、保持具を前進させることにより固形描画材が軸筒より繰り出されることを第１の要旨とする。
【０００６】
また、保持具の保持部に開口した内鍔を形成し、この保持部を軸筒の内面に密接させるとともに、軸筒の前部にキャップを嵌合し、前記保持具の内鍔内を通って、溶融された液状物を軸筒内に流し込み、常温に冷やされることによって、液状物が固体となり固形描画材が形成され、更に、保持具の内孔に密栓を形成したことを第２の要旨とする。
【０００７】
更に、密栓として乾燥防止用オイルを用いたことを第３の要旨とする。
【０００８】
【実施例】
以下、図１、図２、図３及び図４に基づいて本発明の第１実施例の固形描画材繰出容器を説明する。尚、図１の左側を前方とし、右側を後方とする。軸筒１の後部周面に後端より連通した螺旋溝１Ａを形成し、かつ、螺旋溝１Ａを横切って長手方向に伸びた切溝１Ｂを形成する。この切溝１Ｂの後部は、後述する隆起部２Ａの抜けを防ぐために幅が狭くなった係止部１Ｃを形成するとともに、更に、係止部１Ｃの後端部はテーパー状となって隆起部２Ａが挿入し易い形状とする。軸筒１の前部係止部１Ｄにはキャップ３が着脱可能に取り付けられるが、最初はキャップ３の天部内面３Ａが軸筒１の前端に密着するように、キャップ３の第１係止部３Ｂを軸筒１の前部係止部１Ｄに取り付ける。
【０００９】
保持具２は、前部内面に長手方向に伸びたリブ２Ｂが複数形成されるとともに、中心部が開口した内鍔２Ｃが形成され、固形描画材４を保持するための保持部２Ｄが形成される。また、保持具２の後部には隆起部２Ａが形成され、この隆起部２Ａの中間部に切欠部２Ｅを形成する。
【００１０】
リング状の操作部材５の内面には、円周状に伸びた突条部５Ａを形成するとともに、この突条部５Ａの内面の略半周に突部５Ｂを形成する。この突部５Ｂは前記軸筒１の螺旋溝１Ａと係合できるように傾斜して形成される。
【００１１】
前記保持具２の隆起部２Ａに操作部材５を外嵌し、操作部材５の突条部５Ａを隆起部２Ａの切欠部２Ｅに係合することにより、保持具２に対して操作部材５を回動可能に取り付ける。この保持具２を軸筒１の後端より挿入し、固形描画材４の前部外周を軸筒１の内面に長手方向に摺動可能に密接させるとともに、隆起部２Ａを軸筒１の切溝１Ｂに摺動可能に挿入する。この時、隆起部２Ａは軸筒１の係止部１Ｃによって切溝１Ｂからの外れが防止される。また、操作部材５の突部５Ｂは軸筒１の後端より挿入されて螺旋溝１Ａに係合される。
【００１２】
そして、軸筒１の後端、保持具２の後端及び操作部材５の後端を一致させた状態で軸筒１の前端を下に向け、保持具２の内鍔２Ｃ内を通って、８０℃程度の高温によって溶融された液状物を軸筒１内に流し込む。この時、軸筒１の前端にキャップ３の天部内面３Ａが密着されているので、液状物が軸筒１の前端より流れ出る恐れはない。この液状物は常温に冷やされることによって固体となり固形描画材４が形成される。この固形描画材４は、ゲル形成物質、着色材及び溶剤として水を多く含んで形成される。この固形描画材４の後部が保持具２の保持部２Ｄに保持される。更に、固形描画材４の乾燥を防ぐために、固形描画材４の後端部に密栓６を流し込み、密栓６を保持具２の内孔２Ｆに取り付ける。この密栓６はポリブデン、シリコンオイル等の乾燥防止用オイルで形成される。
【００１３】
次に、前記固形描画材４を繰り出す操作を説明する。先ず、軸筒１の前部係止部１Ｄに取り付けられたキャップ３を外す。その後、操作部材５を正方向に回動させると、軸筒１に形成された螺旋溝１Ａに沿って突部５Ｂが摺動し、操作部材５が正方向に回動しながら前進する。すると、操作部材５の突条部５Ａが保持具２の切欠部２Ｅに係合しているので、保持具２の隆起部２Ａが軸筒１の切溝１Ｂに沿って前進する。従って、保持具２とともに固形描画材４が前進する。
【００１４】
また、固形描画材４が軸筒１の前端より出すぎた場合には、軸筒１を逆方向に回動させると、操作部材５の突部５Ｂが軸筒１の螺旋溝１Ａに沿って摺動し、保持具２及び固形描画材４が後退する。そして、描画が終了した場合には、軸筒１にキャップ３を取り付けるが、今度はキャップ３の天部内面３Ａと軸筒１の前端が適宜離間するように、キャップ３の第２係止部３Ｃを軸筒１の前部係止部１Ｄに取り付ける。
【００１５】
図５、図６、図７、図８及び図９は、本発明の第２実施例の固形描画材繰出容器を示すものである。先ず、軸筒１１の後部周面の略半周面に後端より連通したジグザグ形の溝１１Ｅを形成し、かつ、溝１１Ｅと相対する位置に長手方向に伸びた切溝１１Ｂを形成する。この切溝１１Ｂの後部は、後述する隆起部１２Ａの抜けを防ぐために幅が狭くなった係止部１１Ｃを形成するとともに、更に、係止部１１Ｃの後端部はテーパー状となって隆起部１２Ａが挿入し易い形状とする。軸筒１１の前部係止部１１Ｄにはキャップ３の第１係止部３Ｂが着脱可能に取り付けられ、キャップ３の天部内面３Ａが軸筒１１の前端に密着する。
【００１６】
保持具１２は、前部内面に長手方向に伸びたリブ１２Ｂが複数形成されるとともに、中心部が開口した内鍔１２Ｃが形成され、固形描画材４を保持するための保持部１２Ｄが形成される。また、保持具１２の後部には隆起部１２Ａが形成され、この隆起部１２Ａの中間部に切欠部１２Ｅを形成する。
【００１７】
リング状の操作部材１５の内面には、円周状に伸びた突条部１５Ａを形成するとともに、この突条部１５Ａの内面に突部１５Ｂを形成する。
【００１８】
前記保持具１２の隆起部１２Ａに操作部材１５を外嵌し、操作部材１５の突条部１５Ａを隆起部１２Ａの切欠部１２Ｅに係合することにより、保持具１２に対して操作部材１５を回動可能に取り付ける。この保持具１２を軸筒１１の後端より挿入し、保持具１２の前部外周を軸筒１１の内面に長手方向に摺動可能に密接させるとともに、隆起部１２Ａを軸筒１１の切溝１１Ｂに摺動可能に挿入する。この時、隆起部１２Ａは軸筒１１の係止部１１Ｃによって切溝１１Ｂからの外れが防止される。また、操作部材１５の突部１５Ｂは軸筒１１の後端より挿入されてジグザグ形の溝１１Ｅに係合される。
【００１９】
そして、軸筒１１の後端、保持具１２の後端及び操作部材１５の後端を一致させた状態で軸筒１１の前端を下に向け、保持具１２の内鍔１２Ｃ内を通って、８０℃程度の高温によって溶融された液状物を軸筒１１内に流し込む。この液状物は常温に冷やされることによって固体となり固形描画材４が形成される。この固形描画材４の後部が保持具１２の保持部１２Ｄに保持される。更に、固形描画材４の乾燥を防ぐために、固形描画材４の後端部に密栓６を流し込み、密栓６を保持具１２の内孔１２Ｆに取り付ける。この密栓６はポリブデン、シリコンオイル等の乾燥防止用オイルから形成される。
【００２０】
この第２実施例において固形描画材を繰り出す操作を説明する。先ず、軸筒１１の前部係止部１１Ｄに取り付けられたキャップ３を外す。その後、操作部材１５を正方向に回動させると、軸筒１１に形成されたジグザグ状の溝１１Ｅの正方向傾斜溝に沿って突部１５Ｂが摺動し、操作部材１５が正方向に回動しながら前進する。すると、操作部材１５の突条部１５Ａが保持具１２の切欠部１２Ｅに係合しているので、保持具１２の隆起部１２Ａが軸筒１１の切溝１１Ｂに沿って前進する。従って、保持具１２とともに固形描画材４が前進する。そして、操作部材１５の突部１５Ｂが軸筒１１の正方向傾斜溝の端に来た場合には、操作部材１５を逆方向に反転させる。すると、突部１５Ｂが溝１１Ｅの逆方向傾斜溝に沿って摺動し、操作部材１５が逆方向に回動しながら前進する。すると、保持具１２及び固形描画材４が再度前進する。この操作を繰り返すことによって固形描画材４が継続的に繰り出される。そして、軸筒１１より適宜突出した固形描画材４によって絵等を描くことができる。
【００２１】
また、固形描画材４が前端より出すぎた場合には、軸筒１１に対して操作部材１５を後方に引っ張りながら逆方向及び正方向に回動を繰り返すことによって、操作部材１５の突部１５Ｂが溝１１Ｅの傾斜面に沿って摺動し、保持具１２及び固形描画材４が後退する。
【００２２】
尚、上記実施例はいずれも密栓が乾燥防止用オイルで形成されているが、本発明は上記実施例に限定されるものではなく、図１０に示した様に保持具２の内孔２Ｆにゴム製の密栓１６を圧入して取り付けても良いし、図１１に示した様に保持具２の内孔２Ｆに合成樹脂製の密栓２６を圧入して取り付けても良い。
【００２３】
更に、図１２は本発明の第３実施例の固形描画材繰出容器を示すものである。尚、図１と同一の部材は同一の符号を付してその説明は省略する。先ず、保持具２２に有底状の保持部２２Ｄを形成するとともに、保持部２２Ｄの内面に長手方向に伸びたリブを複数形成する。
【００２４】
前記保持具２２の隆起部２２Ａに操作部材５を外嵌し、操作部材５の突条部５Ａを隆起部２２Ａの切欠部２２Ｅに係合することにより、保持具２２に対して操作部材５を回動可能に取り付ける。この保持具２２を軸筒１の後端より挿入し、保持具２２の前部外周を軸筒１の内面に長手方向に摺動可能に密接させるとともに、隆起部２２Ａを軸筒１の切溝１Ｂに摺動可能に挿入する。この時、隆起部２２Ａは軸筒１の係止部１Ｃによって切溝１Ｂからの外れが防止される。また、操作部材５の突部５Ｂは軸筒１の後端より挿入されて螺旋溝１Ａに係合される。
【００２５】
そして、軸筒１の後端、保持具２２の後端及び操作部材５の後端を一致させた状態で軸筒１の前端を上に向け、軸筒１の前端から８０℃程度の高温によって溶融された液状物を軸筒１内に流し込む。この液状物は常温に冷やされることによって固体となり、固形描画材４が形成される。この固形描画材４は、ゲル形成物質、着色材及び溶剤として水を多く含んで形成される。この固形描画材４の後部が保持具２２の保持部２２Ｄに保持される。
【００２６】
更に、軸筒１の前部係止部１Ｄにキャップ１３の係止部１３Ｄを嵌合し、固形描画材４を密閉する。
【００２７】
尚、固形描画材４を繰り出す操作は第１実施例と同様に行われる。
【００２８】
【発明の効果】
以上詳述したように本発明によれば、溶融された液状物を軸筒内に流し込み、液状物が常温に冷やされて固体となり固形描画材が形成されるので、固形描画材を軸筒内に装着したり保持具に保持させる工程がなくなり、組立工程が減少されて非常にコストが下げられるものである。更に、軸筒に直接流し込まれるので固形描画材と軸筒の内面に隙間がなく、描画時に固形描画材が軸筒内でガタツキが生ずる恐れもない。
【図面の簡単な説明】
【図１】本発明の固形描画材繰出容器における第１実施例を示す断面図である。
【図２】図１のＡ−Ａ線を示す断面図である。
【図３】図１のＢ−Ｂ線を示す断面図である。
【図４】本発明の固形描画材繰出容器における第１実施例を示す平面図である。
【図５】本発明の固形描画材繰出容器における第２実施例を示す底面図である。
【図６】本発明の固形描画材繰出容器における第２実施例を示す平面図である。
【図７】本発明の固形描画材繰出容器における第２実施例を示す断面図である。
【図８】図７のＡ−Ａ線を示す断面図である。
【図９】図７のＢ−Ｂ線を示す断面図である。
【図１０】本発明の固形描画材繰出容器において、密栓における他の実施例を示す断面図である。
【図１１】本発明の固形描画材繰出容器において、密栓における更に他の実施例を示す断面図である。
【図１２】本発明の固形描画材繰出容器における第３実施例を示す断面図である。
【符号の説明】
１  軸筒
２  保持具
２Ｃ  保持具２の内鍔
２Ｄ  保持具２の保持部
２Ｆ  保持具２の内孔
３  キャップ
４  固形描画材
６  密栓
１１  軸筒
１２  保持具
１２Ｃ  保持具１２の内鍔
１２Ｄ  保持具１２の保持部
１２Ｆ  保持具１２の内孔
１３  キャップ
１６  密栓
２２  保持具
２２Ｄ  保持具２２の保持部
２６  密栓
【図１】
2004195671.tif 000003
【図２】
2004195671.tif 000004
【図３】
2004195671.tif 000005
【図４】
2004195671.tif 000006
【図５】
2004195671.tif 000007
【図６】
2004195671.tif 000008
【図７】
2004195671.tif 000009
【図８】
2004195671.tif 000010
【図９】
2004195671.tif 000011
【図１０】
2004195671.tif 000012
【図１１】
2004195671.tif 000013
【図１２】
2004195671.tif 000014